(57)【要約】  【課題】複数の縮小表示フィルム面を連続的ないし断続的に光学的に拡大して壁面やスクリーンなどに投影表示可能な身飾用や玩具に適した小形のマルチ幻灯器を実現する。  【解決手段】拡大レンズを内蔵した拡大筒と対応する位置に、複数の表示フィルム面をエンドレスのベルト状体で連続的ないし断続的に移送すると共に、拡大筒とは反対側の位置に投射用の光源を配置することによって、複数の縮小表示フィルム面を連続的ないし断続的に光学的に拡大して壁面やスクリーンなどに投射して同時に複数人で見ることができる。各表示フィルム面が拡大筒の位置に停止できるように、ベルト状体を支持する回転体に間欠回転機構を設けることで、各表示フィルム面が拡大筒の中央位置に正確に停止するように位置合わせでき、位置ズレが生じない。【選択図】図１
2010002694.tif 000002
【特許請求の範囲】
【請求項１】
拡大レンズを内蔵した拡大筒を有し、前記拡大筒と対応する位置に、複数の表示フィルム面を連続的ないし断続的に移動し供給する構成としたことを特徴とするマルチ幻灯器。
【請求項２】
前記の表示フィルム面に対し、拡大筒とは反対側の位置に投射用の光源を配置してあることを特徴とする請求項１に記載のマルチ幻灯器。
【請求項３】
前記の各表示フィルム面は、エンドレスのベルト状体に所定の間隔で取付け表示可能となっているか、又はエンドレスのベルト状の表示フィルム自体に直接表示されていることを特徴とする請求項１または請求項２に記載のマルチ幻灯器。
【請求項４】
前記のベルト状体を駆動して、所望の表示フィルム面を、拡大筒の位置に選択移動できるように、前記ベルト状体を巻き付け支持する回転体を有していることを特徴とする請求項３に記載のマルチ幻灯器。
【請求項５】
前記の回転体を多角形状又は凹凸面若しくは粗面状にするか、前記回転体に設けた送り爪が嵌入する受け穴を前記ベルト状体に設けて滑り止めにすると共に、各表示フィルム面が、拡大筒の位置に停止できるように、前記回転体の間欠回転機構を設けてあることを特徴とする請求項４に記載のマルチ幻灯器。
【請求項６】
動物の置物やぬいぐるみ、その他の品物の中に内蔵されていて、他の品物の中から壁面やスクリーンなどに表示フィルム面の表示を投射可能としたことを特徴とする請求項１から請求項５までのいずれかに記載のマルチ幻灯器。
【発明の詳細な説明】
【技術分野】
【０００１】
本発明は、複数の縮小表示フィルム面を連続的ないし断続的にレンズで光学的に拡大して投影可能なマルチ幻灯器に関する。
【背景技術】
【０００２】
実用新案登録第３０４３２９０号に記載のように、円筒状ケース本体の一方の開口部を凸レンズなどの閉止部材で閉止し、他方の開口部を開閉蓋で閉止して、該円筒状ケース本体の中空部を小物入れに形成し、また、前記凸レンズと仕切り板との間に小さな写真などの画像を配置したキーホルダーなどの装身具用下げ飾りが提案されている。
【特許文献１】実用新案登録第３０４３２９０号
【発明の開示】
【発明が解決しようとする課題】
【０００３】
在来のキーホルダーなどの装身具用下げ飾りは、単なる飾りもので、キーホルダーの紛失を防止することと面白さをかもし出すのみで、キーホルダーの下げ飾りとしての機能以外は実用的な機能を期待できないのに対し、特許文献１記載の提案は、在来のキーホルダーなどの装身具用下げ飾りを改良し、小物入れおよび小さな写真を入れるロケット的な機能を持たせたキーホルダー等の下げ飾りとすることができる。
【０００４】
しかしながら、凸レンズで拡大して見ることのできる小さな写真などの画像は１枚に限られ、複数枚を見ることはできない。そのため、情報量が少な過ぎて利用価値が小さく、普及が期待できない。しかも、一人でしか見られないのが最大の欠点である。
近年の携帯電話機やインターネットの普及で画像などの情報量が飛躍的に増大し、画像情報が氾濫している。したがって、携帯電話機のストラップやキーホルダー、バッグなどに取付けて携行する愛玩具や身飾品としても、単一の画像に限られず、複数枚ないし多数枚の画像情報を光学的に拡大して複数人で観賞することができると、同時に複数人で多量の情報を楽しめるので、便利である。しかも、多量のコンテンツ情報としての有効利用も可能となる。
【０００５】
本発明の技術的課題は、このような問題に着目し、複数の縮小表示面を連続的乃至断続的に光学的に拡大して投影可能なマルチ幻灯器を実現することにある。特に、各種ストラップやキーホルダー、バッグなどに取付けて愛玩具や身飾品としても利用できると共に、多量のコンテンツ情報としても有効利用可能な小型でマルチ式の幻灯器を実現する。
【課題を解決するための手段】
【０００６】
本発明の技術的課題は次のような手段によって解決される。請求項１は、拡大レンズを内蔵した拡大筒を有し、前記拡大筒と対応する位置に、複数の表示フィルム面を連続的ないし断続的に移動し供給する構成としたことを特徴とするマルチ幻灯器である。
このように、拡大レンズを有する拡大筒を有し、前記拡大筒と対応する位置に、複数の表示フィルム面を連続的ないし断続的に移動供給する構成となっているので、所望の表示フィルム面を拡大筒の位置に移動させて、拡大筒中のレンズで光学的に壁面などに拡大投射して、複数人で見ることができ、マルチ幻灯器が実現される。その結果、多量の充実した各種コンテンツ情報としても有効利用できる。
【０００７】
請求項２は、前記の表示フィルム面に対し、拡大筒とは反対側の位置に投射用の光源を配置してあることを特徴とする請求項１に記載のマルチ幻灯器である。
このように、前記の表示フィルム面に対し、拡大筒とは反対側の位置に投射用の光源を配置してあって、表示フィルム面が背部から照射されるので、常に鮮明な状態で壁面やスクリーンなどに表示フィルム面の表示を投射して見ることができる。
【０００８】
請求項３は、前記の各表示フィルム面は、エンドレスのベルト状体に所定の間隔で取付け表示可能となっているか、又はエンドレスのベルト状の表示フィルム自体に直接表示されていることを特徴とする請求項１または請求項２に記載のマルチ幻灯器である。
このように、前記の各表示フィルム面は、エンドレスのベルト状体に所定の間隔で取付け表示可能となっているため、所望の表示フィルム面を所望の位置に取付けることによって、配置が自由で、いろいろな楽しみ方ができる。
また、無端のベルト状の表示フィルム自体に直接各表示フィルム面が表示されている場合は、同じ内容のコンテンツとして量産する際に効率的である。前記のように１枚ずつ取付ける煩わしさも無い。
【０００９】
請求項４は、前記のベルト状体を駆動して、所望の表示フィルム面を、拡大筒の位置に選択移動できるように、前記ベルト状体を巻き付け支持する回転体を有していることを特徴とする請求項３に記載のマルチ幻灯器である。
このように、前記のベルト状体を駆動して、所望の表示フィルム面を、拡大筒の位置に選択移動できるように、前記ベルト状体を巻き付け支持する回転体を有しているので、回転体を回転させてベルトのように連続的又は間欠的に駆動して、所望の表示フィルム面を拡大筒の位置に連続的又は断続的に供給し、能率的に複数人で拡大画像を見ることができ、取り扱いも簡便である。
【００１０】
請求項５は、前記の回転体を多角形状又は凹凸面若しくは粗面状にするか、前記回転体に設けた送り爪が嵌入する受け穴を前記ベルト状体に設けて滑り止めにすると共に、各表示フィルム面が、拡大筒の位置に停止できるように、前記回転体の間欠回転機構を設けてあることを特徴とする請求項４に記載のマルチ幻灯器である。
このように、前記の回転体を多角形状又は凹凸面若しくは粗面状にするか、前記回転体に設けた送り爪が嵌入する受け穴を前記ベルト状体に設けて滑り止めを構成してあるので、ベルト状体を確実に送って、所望の表示フィルム面を確実に拡大筒の位置に供給できる。
また、各表示フィルム面が拡大筒の位置に停止するように、前記回転体の間欠回転機構を設けてあるため、ベルト状体を間欠的ないし断続的に走行させた際に、各表示フィルム面が拡大筒の中央位置に正確に停止するように位置合わせでき、位置ズレが生じない。
【００１１】
請求項６は、動物の置物やぬいぐるみなどの他の品物の中に内蔵されていて、他の品物の中から壁面やスクリーンなどに表示フィルム面の表示を投射可能としたことを特徴とする請求項１から請求項５までのいずれかに記載のマルチ幻灯器である。
このように、動物の置物やぬいぐるみなどの他の品物に前記幻灯器を内蔵してあるため、他の品物の中から壁面やスクリーンなどに表示フィルム面の表示を拡大投射して複数人で見ることができ、他の品物の付加価値を高めるのに適している。
【発明の効果】
【００１２】
請求項１のように、拡大レンズを内蔵した拡大筒を有し、前記拡大筒と対応する位置に、複数の表示フィルム面を連続的ないし断続的に移動供給する構成となっているので、所望の表示フィルム面を拡大筒の位置に移動させて、拡大筒中のレンズで光学的に壁面などに拡大投射して、複数人で見ることができ、マルチ幻灯器が実現される。その結果、多量の充実した各種コンテンツ情報としても有効利用できる。
【００１３】
請求項２のように、前記の表示フィルム面に対し、拡大筒とは反対側の位置に投射用の光源を配置してあって、表示フィルム面が背部から照射されるので、常に鮮明な状態で壁面やスクリーンなどに表示フィルム面の表示を投射して見ることができる。
【００１４】
請求項３のように、前記の各表示フィルム面は、エンドレスのベルト状体に所定の間隔で取付け表示可能となっているため、所望の表示フィルム面を所望の位置に取付けることによって、配置が自由で、いろいろな楽しみ方ができる。
また、無端のベルト状の表示フィルム自体に直接各表示フィルム面が表示されている場合は、同じ内容のコンテンツとして量産する際に効率的である。前記のように１枚ずつ取付ける煩わしさも無い。
【００１５】
請求項４のように、前記のベルト状体を駆動して、所望の表示フィルム面を、拡大筒の位置に選択移動できるように、前記ベルト状体を巻き付け支持する回転体を有しているので、回転体を回転させてベルトのように連続的又は間欠的に駆動して、所望の表示フィルム面を拡大筒の位置に連続的又は断続的に供給し、能率的に複数人で拡大画像を見ることができ、取り扱いも簡便である。
【００１６】
請求項５のように、前記の回転体を多角形状又は凹凸面若しくは粗面状にするか、前記回転体に設けた送り爪が嵌入する受け穴を前記ベルト状体に設けて滑り止めを構成してあるので、ベルト状体を確実に送って、所望の表示フィルム面を確実に拡大筒の位置に供給できる。
また、各表示フィルム面が拡大筒の位置に停止できるように、前記回転体の間欠回転機構を設けてあるため、ベルト状体を間欠的ないし断続的に走行させた際に、各表示フィルム面が拡大筒の中央位置に正確に停止するように位置合わせでき、位置ズレが生じない。      
【００１７】
請求項６のように、動物の置物やぬいぐるみなどの他の品物に前記幻灯器を内蔵してあるため、他の品物の中から壁面やスクリーンなどに表示フィルム面の表示を拡大投射して複数人で見ることができ、他の品物の付加価値を高めるのに適している。
【発明を実施するための最良の形態】
【００１８】
次に本発明によるマルチ幻灯器が実際上どのように具体化されるか実施形態を説明する。図１は、本発明によるマルチ幻灯器の基本構成を説明する正面図で、ベルト状体の表示フィルム面１に対し内側に、光源となる発光部ｒを有し、外側に拡大筒２を有している。この拡大筒２中には、上端寄りに拡大用の凸レンズＬを内蔵してある。
表示フィルム面１は、幻灯器で壁面やスクリーンなどに投射して複数人で見る画像などの情報を縮小表示しておく媒体であって、透明フィルムなどに写真技術などで予め表示されているものとする。
支持面３と駆動輪Ｗの支軸４とは、図２に示す長方形状のフレームｆに取付け支持されている。図２は、図１のＡ−Ａ方向の断面図である。
【００１９】
大径の駆動輪Ｗと小径の支持輪ωとは一体構成であり、フレームｆに支持されている支軸４を中心に回転する。
エンドレスのベルト状体５は、支持輪ωと支持面３に、伝動ベルトのように掛け廻してあり、駆動輪Ｗで支持輪ωを回転させると、ベルト状体５が矢印ａ１方向に往復動される。
支持面３は、拡大筒２の下端と対向する平面であり、可撓性に富んだベルト状体５を平坦状に保持した状態で、支持面３中央に到来する表示フィルム面１を拡大筒２で壁面やスクリーンなどに投射して複数人で見るようになっている。
【００２０】
ベルト状体５は、写真のネガフィルム状、又はゴム質や軟質の合成樹脂などから成る帯状をしており、写真などの表示フィルム面１を一定ピッチで有している。したがって、駆動輪Ｗを指で回転させて、支持輪ωでベルト状体５を矢印ａ１方向に移動させることによって、所望の表示フィルム面１を拡大筒２の位置に移送した状態で、表示フィルム面１の表示がレンズＬで拡大された状態で壁面やスクリーンなどに投射されるので、複数人で観賞できる。
【００２１】
図２のように、支持面３は、ベルト状体５が通過する領域に窓穴３ｈを開けて、バックライトｒの発光が通過可能にしてある。したがって、表示フィルム面１を背面から投射するため、拡大筒２で壁面やスクリーンなどに拡大投射され、かつ鮮明に表示される。
図示例のバックライトｒは、発光ダイオードなどの半導体製であるが、発光作用をする素子であれば、特に限定されない。豆電球でもよいが、消費電力が大きいのが難点である。Ｅは電池で、ボタン電池やフィルム電池などのような小形が望ましい。なお、光源ｒと窓穴３ｈとの間に集光レンズ６を設けてもよい。
【００２２】
支持面３の内側には、支持筒７を一体形成して、その中に、背部からバックライト用の発光体ｒを挿入し、支持してある。したがって、電池Ｅも支持筒７に支持される。なお、支持筒７は、円筒でも四角筒でもよい。
支持筒７の外側には、ベルト状体５のガイド板８・８を垂下形成してあり、このガイド板８・８と支持筒７の上端間に支持面３が位置している。
そのため、ベルト状体５は、前後のガイド板８・８にガイドされながら、支持面３に到達し、所望の表示フィルム面１が拡大筒２の下端位置に到来する。ガイド板８・８と支持面３との間が角張っていると、ベルト状体５の円滑な走行に支障を来たすので、可能な限り大きな曲面にするのが望ましい。
【００２３】
図１におけるベルト状体５の内側が外から見えないように、図２のフレームｆで目隠ししてある。すなわち、長方形状のフレームｆ中に、ガイド板８・８や、支持筒７、電池Ｅ、駆動輪Ｗ、支持輪ωが内蔵されている。
ベルト状体５は、支持輪ωの領域以外は露出しているが、表示フィルム面１以外は全部カバーすることも可能である。
【００２４】
図１、図２の場合は、支持面３と拡大筒２が分離しているため、表示フィルム面１と拡大筒２との間隔や向きは自由になるが、分離していると、取り扱いが不便である。
これに対し、図３以下のように、連結用の四角筒９を採用することによって、拡大筒２をフレームｆ側に取付け固定できる。
【００２５】
図３は正面図、図４は右側面図、図５は、図４のＢ−Ｂ方向の縦断面図である。
図５から明らかなように、フレームｆの上側に被せてカバーする四角筒９を有しており、フレームｆの前後と左右をカバーしている。
その天井面９１には、拡大筒２を挿入できる受け穴９ｈを開けてある。したがって、この受け穴９ｈ中に上側から拡大筒２を挿入することによって、拡大筒２は、四角筒９に保持される。
図１、図２のように、大径のストッパー２ｓが拡大筒２の外周に形成されているので、受け穴９ｈ中に挿入する際の位置決めは容易であり、図示のように、拡大筒２の下端と表示フィルム面１との間隔は正確に一定に維持される。
【００２６】
図３のように、四角筒９は、フレームｆの上側だけをカバーしているので、下側はフレームｆ内が露出することになる。鎖線９２のように、フレームｆの下端まで四角筒９を延長して、フレームｆ内が全部見えないように隠すことも可能である。この場合、大径の駆動輪Ｗがスリットを通過して露出する構造になっていることは言うまでもない。
なお、電池Ｅの電源スイッチＳＷを外部から操作できるように、操作ボタン10を設け、フレームｆに保持させてある。操作ボタン10は押しボタン式でもスライド式でもよい。
【００２７】
図１〜図５のベルト状体５は、図４のように、例えば四角形の窓穴Ｈ…を一定間隔に開けて、それぞれの窓穴Ｈ…に表示シート乃至フィルムを取付けることによって、表示フィルム面１を形成可能になっている。
各表示フィルム面１は、接着剤でベルト状体５に接着固定してもよいし、ベルト状体５の外側に透明のベルト状フィルムを重ねて、間に各表示フィルム面１を挟むことによって、保持させてもよい。
各窓穴Ｈ…の両側に形成した位置決めピンを各表示フィルム面１の両側に開けてある受け孔に嵌入させることで、位置決めすると共に取付け支持することも可能である。
このように、各窓穴Ｈ…に各表示フィルム面１を配設する構成の場合は、個々の独立した表示フィルム面１を多数用意しておいて、好みの表示フィルム面１を任意の窓穴Ｈ…に取付けることができる。
【００２８】
図５のように、支持輪ωの外周に一定間隔に設けた突起１１…がベルト状体５の内面に食い込んで滑りを防止するため、空転が防止され、確実に各表示フィルム面を拡大筒２の位置に供給できる。支持輪ωの外周面を凹凸形状にしたり、粗面化したり、支持輪ωを多角形状に形成することも、空転防止すなわちベルト状体５の滑り防止に有効である。支持輪ωの外周にピンチローラを設けて、ベルト状体５を挟む構造も有効である。
【００２９】
図６〜図８は、ベルト状体５がフィルムＦになっている。しかも、この無端フィルムＦの両側に一定間隔の送り穴ｈ…を四角形状や円形に開けてある。
一方、支持輪ωの外周には、その両側に、前記の送り穴ｈ…に嵌入する送り爪１２…を一定間隔に配設してある。
したがって、駆動輪Ｗで支持輪ωを回転させると、その送り爪１２…が無端フィルムＦの送り穴ｈ…に嵌入した状態で回転するので、確実に無端フィルムＦを送って、所望の表示フィルム面１を拡大筒２の位置に供給できる。
無端フィルムＦには予め各種の表示内容が一定の間隔（ピッチ）で表示されていることは言うまでもない。表示内容は画像でも文字情報でも、両者の混在でもよい。
【００３０】
別の実施形態として、無端フィルムＦを透明度の高い透明体で形成し、図３〜図５で説明したような各表示フィルム面を透明フィルムＦの上に重ねて取付けることも可能である。
取付け方は、接着でもよいし、透明フィルムＦを２枚重ねにして、間に各表示フィルム面を挟んでもよい。この場合、一定間隔で仕切るために、２枚の透明フィルムＦ・Ｆを一定間隔で仕切り部のみ接着しておくと便利である。
【００３１】
以上のベルト状体５や無端フィルムＦは連続回転するため、表示フィルム面１すなわち所望の表示フィルム面をちょうど拡大筒２の位置に正確に停止させることが困難であり、表示フィルム面１が途中で停止することもある。その結果、拡大筒２で表示フィルム面１の表示を投射し拡大表示しながら、停止位置を目視判断する必要があり、不便である。
これに対し、図９の場合は、支持輪ωの側面に一定間隔に形成した円弧状の窪み１３…に、板ばね１４先端の円弧状の突起１５を嵌入させてあるため、窪み１３…の位置に正確に支持輪ωを停止させることができる。
【００３２】
その結果、支持輪ωの窪み１３…の位置と窓穴３ｈ中心に到達する各表示フィルム面の中心位置とを対応させておけば、各窪み１３…に板ばね１４先端の突起１５が嵌入して停止する限り、常に正確に各表示フィルム面の中心が拡大筒２の中心位置に到来して停止することになる。
この場合、窪み１３…の間隔と各表示フィルム面の間隔を一致させておくことは言うまでもない。なお、窪み１３…は、支持輪ωの外周面に設けてもよい。
【００３３】
図９では、フレームｆの内面に板ばね１４の根元を固定し取付けてあるが、図６のように、フレームｆ自体にコ字状のスリット１６を形成して、その内側を板ばね１４にすることもできる。この場合は、板ばね１４としての弾力性を確保できるように、フレームｆの板厚を薄くしたり、弾力性に富んだ材質とすることは勿論である。
【産業上の利用可能性】
【００３４】
以上のように、軟質ゴムやフィルム製のベルト状体を駆動して、所望の表示フィルム面を拡大筒の位置に供給することで、複数の表示を連続的又は断続的に、拡大投射して複数人で同時に見ることができるので、各種ストラップやキーホルダー、バッグなどに取付けて愛玩具や身飾品として使用する際に、所望の表示を拡大して複数人で観賞し楽しむことができ、利用価値が高まる。
また、ベルト状体を利用して多数の表示情報を量産し各種のコンテンツにすれば、教材やビジネス用の器具などとして有効利用できる。観光地や各種イベントなどの案内用や土産用として、あるいは思い出用などとしても有効である。
この幻灯器は単独で使用してもよいが、動物の置物やぬいぐるみ、その他の品物に内蔵しておき、各種の品物の中から壁面やスクリーンなどに表示フィルム面の表示を投射して見ることもでき、他の品物の付加価値を高めるのに適している。
【図面の簡単な説明】
【００３５】
【図１】本発明によるマルチ幻灯器の基本構成を説明する正面図である。
【図２】図１のＡ−Ａ方向の断面図である。
【図３】四角筒で拡大筒を取付け固定する構成の正面図である。
【図４】図３の装置の右側面図である。
【図５】図４のＢ−Ｂ方向の縦断面図である。
【図６】ベルト状体がフィルムの場合のマルチ幻灯器の正面図である。
【図７】図６の装置の右側面図である。
【図８】図７のＢ−Ｂ方向の縦断面図である。
【図９】支持輪の間欠回転機構の実施形態を示す左側面図である。
【符号の説明】
【００３６】
１  表示フィルム面
２  拡大筒
Ｌ  投射レンズ
ｒ  発光部（バックライト用）
３  支持面
３ｈ  窓穴
Ｗ  駆動輪
ω  支持輪
ｆ  フレーム
４  支軸
５  ベルト状体
６  集光レンズ
７  支持筒
８・８  ガイド板
Ｅ  電池
９  四角筒
９１  天井面
９ｈ  受け穴
９２  延長フレーム
ＳＷ  電源スイッチ
１０  操作ボタン
Ｈ…  窓穴
１１  滑り止め突起
Ｆ  無端フィルム
ｈ…  送り穴
１２…  送り爪
１３…  円弧状の停止窪み
１４  板ばね
１５  嵌入用の突起
１６  コ字状スリット
【図１】
2010002694.tif 000003
【図２】
2010002694.tif 000004
【図３】
2010002694.tif 000005
【図４】
2010002694.tif 000006
【図５】
2010002694.tif 000007
【図６】
2010002694.tif 000008
【図７】
2010002694.tif 000009
【図８】
2010002694.tif 000010
【図９】
2010002694.tif 000011